(57)【要約】【課題】ボックス本体に対して蓋体を係合させるための係合部を、損傷されにくくすることである。【解決手段】蓋体９に設けられた係合突起体１９を、該蓋体９を構成する覆いフランジ部１５の内側に配置すると共に、前記係合突起体１９の先端に設けられた爪部１９ａが、ボックス本体８に設けられた第１防雨フランジ部１２の切欠部１８に係合し、しかも、第１及び第２の各防雨フランジ部１２，１３の間に形成される排水溝部１４に嵌まり込むようにする。【選択図】　　　　図２
2004069632.tif 000002
【特許請求の範囲】
【請求項１】
被固定物に固定されるボックス本体と、
前記ボックス本体の開口を閉塞すべく該ボックス本体にヒンジ連結される蓋体とから成り、
前記ボックス本体と前記蓋体に、互いに係合して蓋体の閉塞を維持するための係合部と被係合部とが設けられて成る計器類の収容ボックスであって、
前記蓋体に設けられた係合部は、前記蓋体の内側に設けられていることを特徴とする計器類の収容ボックス。
【請求項２】
前記蓋体の周縁部には覆いフランジ部が設けられていて、前記覆いフランジ部の内側に係合部が設けられていることを特徴とする請求項１に記載の計器類の収容ボックス。
【請求項３】
前記ボックス本体の開口外側縁部には、ほぼ全周に亘って防雨フランジ部が設けられていて、該防雨フランジ部の一部が欠落されて被係合部が形成されていることを特徴とする請求項１又は２に記載の計器類の収容ボックス。
【請求項４】
前記ボックス本体の開口外側縁部には、該ボックス本体の深さ方向に沿って僅かの間隔をおいて二条の防雨フランジ部がそれぞれ設けられていて、各防雨フランジ部の間は排水溝部となっており、前記蓋体の係合部に設けられた爪部が、前記排水溝部の部分に入り込んで係合されることを特徴とする請求項２又は３に記載の計器類の収容ボックス。
【発明の詳細な説明】
【０００１】
【発明の属する技術分野】
本発明は、被固定物に固定されるボックス本体と、該ボックス本体に係合して、その開口を閉塞する蓋体とから成る計器類の収容ボックスに関するものである。
【０００２】
【従来の技術】
例えば、住宅内に給電ケーブルを引き込んだり、工事現場等に電力ケーブルを設けたりするには、それらの敷地内に架空電線を引き込むための配線用ポールＰが立設される（図１参照）。
【０００３】
この配線用ポールＰの途中の部分に、電力計等の計器類を収容するためのボックスが取付けられることがある。従来のボックスＢ’について説明する。図９及び図１０に示されるように、このボックスＢ’は、配線用ポールＰに取付けられ、電力計５１等の計器類が収容されるボックス本体５２と、該ボックス本体５２に対して回動可能にヒンジ連結され、その開口を閉塞するための蓋体５３とから構成されている。この蓋体５３には、係合部が設けられていて、該蓋体５３が閉じられるとき、ボックス本体５２において前記係合部と対応して設けられた被係合部に係合される。ここで、該蓋体５３における係合部は、蓋体５３の開口面部５３ａに突出して設けられた係合突起体５４である。同じく、ボックス本体５２における被係合部は、該ボックス本体５２の外側面部に突出して設けられた係合板５５である。前記蓋体５３が閉じられるとき、前記係合突起体５４の先端に設けられた爪部５４ａが、前記係合板５５に係合される。こうすることによって、蓋体５３が、ボックス本体５２の開口を閉塞したまま維持される。その状態を、図９において二点鎖線で示す。
【０００４】
ところが、従来のボックスＢ’では、前記係合突起体５４が、蓋体５３の開口面部５３ａから突出している。このため、該ボックスＢ’に電力計５１を取付けたり、ケーブルＣ（図９参照）の配線作業を行ったりする際に、作業工具が当たったりすると、前記係合突起体５４又は前記係合板５５を損傷させるおそれがある。すると、蓋体５３によってボックス本体５２の開口を閉塞状態で維持させることが困難になり、ボックス本体５２内に雨水等が入り込んで、電力計５１等の計器類を損傷させるおそれがある。
【０００５】
【発明が解決しようとする課題】
本発明は、上記した不具合に鑑み、ボックスにおける係合部又は被係合部が損傷されないようにすることを課題としている。
【０００６】
【課題を解決するための手段】
上記課題を解決するための請求項１に記載の発明は、被固定物に固定されるボックス本体と、前記ボックス本体の開口を閉塞すべく該ボックス本体にヒンジ連結される蓋体とから成り、前記ボックス本体と前記蓋体に、互いに係合して蓋体の閉塞を維持するための係合部と被係合部とが設けられて成る計器類の収容ボックスであって、前記蓋体に設けられた係合部は、前記蓋体の内側に設けられていることを特徴としている。
【０００７】
ボックス本体に対して、蓋体が開閉可能にしてヒンジ連結されている。前記ボックス本体と前記蓋体には、互いに係合して、蓋体の閉塞を維持するための係合部と被係合部とが設けられている。しかも、蓋体に設けられた係合部は、該蓋体の内側に設けられている。換言すれば、前記係合部は、蓋体から突出していない。このため、作業中に、作業工具等が係合部に当たるおそれはなく、該係合部が損傷することが防止される。この結果、ボックス本体に対して蓋体を閉塞状態で維持させることができ、該ボックスに収容された計器類を、雨水等から確実に保護することができる。
【０００８】
請求項２に記載の発明は、請求項１に記載の発明を前提として、前記蓋体の周縁部には覆いフランジ部が設けられていて、前記覆いフランジ部の内側に係合部が設けられていることを特徴としている。このため、蓋体の開口部分の強度を高くすることができる。
【０００９】
請求項３に記載の発明は、請求項１又は２に記載の発明を前提として、前記ボックス本体の開口外側縁部には、ほぼ全周に亘って防雨フランジ部が設けられていて、該防雨フランジ部の一部が欠落されて被係合部が形成されていることを特徴としている。即ち、ボックス本体の防雨フランジ部に被係合部が設けられている。このため、既存のボックスであっても被係合部を設けることができると共に、その形状を簡単なものにすることができる。
【００１０】
請求項４に記載の発明は、請求項２又は３に記載の発明を前提として、前記ボックス本体の開口外側縁部には、該ボックス本体の深さ方向に沿って僅かの間隔をおいて二条の防雨フランジ部がそれぞれ設けられていて、各防雨フランジ部の間は排水溝部となっており、前記蓋体の係合部に設けられた爪部が、前記排水溝部の部分に入り込んで係合されることを特徴としている。このため、防雨フランジ部による防雨効果を損なうことなく、ボックス本体に被係合部を設けることができる。
【００１１】
【発明の実施の形態】
以下、実施形態をあげて、本発明を更に詳細に説明する。図１は本発明に係るボックスＢが、配線用ポールＰに取付けられた状態の斜視図、図２は蓋体９が開いた状態のボックスＢの斜視図、図３は同じく正面図、図４は同じく側面図、図５は同じく平面断面図である。最初に、本発明に係る計器類の収容ボックス（以下、単に「ボックスＢ」と記載する）が取付けられる被固定物の一例である配線用ポールＰについて説明する。この配線用ポールＰは、工事現場等に電源を供給するケーブルＣ（図５参照）を引き込むために仮設されるものである。即ち、この配線用ポールＰは、図１に示されるように、円筒形状の下柱１と上柱２とを連結円筒体（図示せず）で連結した構成であって、前記下柱１の下端部が地中に埋設することによって地表面に立設される。また、前記上柱２の上端部には、ＤＶ線３を引き込むための引込みバンド４が取付けられている。なお、図１において、５は、上柱２とＤＶ線３とを絶縁するためのＤＶ碍子であり、６は、上柱２の上端部を覆うためのポールキャップである。
【００１２】
次に、本実施形態のボックスＢについて説明する。図２ないし図５に示されるように、このボックスＢは、電力計７等の計器類が収容されるボックス本体８と、該ボックス本体８の開口を閉塞するための蓋体９とから構成されている。この蓋体９は、ボックス本体８における一方側の外側面部８ａの上下端部に設けられた一対のヒンジ連結体１１（図３参照）により、前記ボックス本体８に対して開閉可能に連結されている。前記ボックス本体８と前記蓋体９は、いずれも樹脂材より成る。
【００１３】
最初に、ボックス本体８について説明する。このボックス本体８は、開口面を有する略長方形状の箱体を、前記開口面が正面側に配置されるように起立させたものであり、その開口外側縁部には、全周に亘って張出し状態で第１防雨フランジ部１２が設けられている。この第１防雨フランジ部１２は、ボックス本体８の開口部分を補強すると共に、蓋体９が閉じられたときに、ボックス本体８と蓋体９との間に生じる隙間Ｑを塞いで、前記ボックス本体８に雨水が浸入することを防止するという機能を有している。この第１防雨フランジ部１２の前面（手前側の面）は、ボックス本体８の開口と同一面となっている。そして、前記第１防雨フランジ部１２の奥側（ボックス本体８の深さ方向に沿った奥側）には、該第１防雨フランジ部１２に体して僅かの間隔をおいて（換言すれば、前記フランジ部１２とほぼ平行にして）、第２防雨フランジ部１３が、ボックス本体８の底面部を除いて周設されている（図４参照）。即ち、ボックス本体８の開口外側縁部には、二条のボックスフランジ部１２，１３が、該ボックス本体８の深さ方向に沿って僅かの間隔をおいて設けられている。この第２防雨フランジ部１３におけるボックス本体８の外周面からの高さは、第１防雨フランジ部１２の高さとほぼ同一であり、前記第１防雨フランジ部１２と同様に、閉状態の蓋体９との間に生じる隙間を塞いで、ボックス本体８の内側に雨水が浸入することを防止している。
【００１４】
そして、第１及び第２の各防雨フランジ部１２，１３の間の部分は、第２防雨フランジ３を乗り越えて浸入しようとする雨水を排出するための排水溝部１４となっている。即ち、蓋体９が閉じられると、ボックス本体８の第１及び第２の各防雨フランジ部１２，１３とが、前記蓋体９に設けられた覆いフランジ部１５（後述）の内側部分に入り込む。図４において、蓋体９が閉じられた状態を二点鎖線で示す。後述するように、蓋体９が閉じられたとき、ボックス本体８の各防雨フランジ部１２，１３の外周面と、覆いフランジ部１５の内周面部１５ａとの間には僅かな隙間Ｑが形成される。ボックスＢの背面部から入り込もうとする雨水のほとんどは、ボックス本体８の開口を基準として奥側に配置された前記第２防雨フランジ部１３によって遮断されるが、雨水の一部が、前記第２防雨フランジ部１３を乗り越えて、覆いフランジ部１５との間の隙間Ｑを通って入り込む場合がある。しかし、その雨水は、前記第２防雨フランジ部１３の手前側に設けられた第１防雨フランジ部１２によって遮断され、両者の間に形成された排水溝部１４を通って地表面に落下される。このようにして、ボックスＢに収容される電力計７等の計器類が、雨水等から保護される。
【００１５】
ボックス本体８の他方側（ヒンジ連結体１１が設けられていない側）の外側面部８ａにおける高さ方向のほぼ中央部には、当板部１６が設けられている。この当板部１６は、前記第２防雨フランジ部１３の僅かに奥側に、ボックス本体８の外側面部８ａに対して略直角で、しかも、第２防雨フランジ部１３と略平行にして設けられている。そして、この当板部１６の先端部には、紐体、錠等（図示せず）を挿通させるための挿通孔１６ａが設けられている。なお、図２において、１７は、当板部１６を補強するためのリブ板である。
【００１６】
図２に示されるように、前記第１防雨フランジ部１２において、上記した当板部１６よりも少し上側の部分が切除されていて、当該部分に切欠部１８が設けられている。蓋体９が閉じられるとき、この切欠部１８に、蓋体９に設けられた係合突起体１９（後述）の爪部１９ａが係合される。こうすることによって、蓋体９はボックス本体８に対して閉塞状態で維持される。
【００１７】
次に、蓋体９について説明する。図２ないし図５に示されるように、この蓋体９は、前述したヒンジ連結体１１により、ボックス本体８に対して回動可能にして取付けられている。そして、前述した覆いフランジ部１５の手前側には、該覆いフランジ部１５よりも少し小さな面積を有する前蓋部２１が、略相似形状にして設けられている。このため、覆いフランジ部１５と前蓋部２１との接合部分は、略直角に屈曲されていて、当該部分の内側に段付面部１５ｂが形成されている。図６に示されるように、前記覆いフランジ部１５の内幅寸法は、ボックス本体８の各防雨フランジ部１２，１３の外幅寸法よりも少し広い。しかも、前記前蓋部２１の内幅寸法は、ボックス本体８の開口の内幅寸法よりも僅かに広い。このため、蓋体９は、覆いフランジ部１５の内周面部１５ａと、ボックス本体８の各防雨フランジ部１２，１３の外周面との間には、僅かな隙間Ｑを形成した状態で閉じられる。同時に、前記段付面部１５ｂが、ボックス本体８の第１防雨フランジ部１２に当接される。
【００１８】
図５及び図６に示されるように、前記蓋体９の段付面部１５ｂで、ボックス本体８の第１防雨フランジ部１２に設けられた切欠部１８と対応する位置には、該段付面部１５ｂに略直角にして係合突起体１９が突設されている。前記係合突起体１９は、その先端部を、前記蓋体９の開口側に突出させた形態で取付けられている。そして、この係合突起体１９の先端部には、平面視において略三角形状の爪部１９ａが、その頂点部を内方に向けて設けられている。この係合突起体１９は可撓性を有しているため、蓋体９が閉じられるとき、その爪部１９ａが、前記切欠部１８を乗り越える。そして、ボックス本体８の各防雨フランジ部１２，１３との間に形成された排水溝部１４に嵌まり込んで係合される。このようにして、ボックス本体８は、蓋体９によって閉塞状態で維持される。しかも、前記係合突起体１９の先端部は、覆いフランジ部１５の開口面部１５ｃから突出していない。換言すれば、前記係合突起体１９は、その全体が、蓋体９の内側に配置されるようにして設けられている。こうすることによって、該係合突起体１９が損傷されにくくなる。
【００１９】
また、覆いフランジ部１５における他方側（ヒンジ連結体１１が設けられていない側）の開口外側縁部で、ボックス本体８の当板部１６と相対向する部分には、引板部２２が設けられている。この引板部２２は、当板部１６よりも大きな面積を有していて、その下端部で、前記当板部１６の挿通孔１６ａと相対向する部分には挿通孔２２ａが設けられている。作業者が、閉状態の蓋体９を開くとき、この引板部２２において、前記当板部１６に当接していない部分に指をかけて、手前側に引き寄せる。すると、ボックス本体８の排水溝部１４に嵌まり込んで係合された爪部１９ａが引き起こされて、切欠部１８との係合が解除される。こうすることにより、切欠部１８と係合突起体１９との係合が解除され、作業者は、容易に蓋体９を開くことができる。
【００２０】
本実施形態のボックスＢは、ボックス本体８の背面部で、その上下端部に取付けられた２本のポールバンド２３によって、配線用ポールＰに装着されている。ポールバンド２３について説明する。図５に示されるように、これらのポールバンド２３は、ボックス本体８の背面部に設けられた凹部に嵌まり込むポールバンド本体部２３ａと、該ポールバンド本体部２３ａから延設される一対のバンド体２３ｂとから成る。一対のバンド体２３ｂの一端部は、前記ポールバンド本体部２３ａに引っ掛けられている。また、それらの他端部は外側に屈曲されていて、各屈曲部２４が形成されている。前記相対向する各屈曲部２４が、締付ねじ２５によって締め付けられることにより、ポールバンド２３が配線用ポールＰに強固に装着される。
【００２１】
前記ポールバンド２３のポールバンド本体部２３ａにおいて、ボックス本体８と相対向する部分には、タッピンねじ用の取付孔２６が設けられている。また、ボックス本体８において、前記ポールバンド２３のポールバンド本体部２３ａと対応する部分には、水平方向に所定の間隔をおいて２本のねじ挿通孔２７が設けられている。そして、ボックス本体８の内側から、前記各ねじ挿通孔２７に挿通された各取付ねじ（タッピンねじ）２８が、前記取付孔２６に締め込まれることにより、ボックス本体８とポールバンド本体部２３ａとが一体に固着される。
【００２２】
本発明に係るボックスＢの作用について説明する。図１に示されるように、工事現場等の所定位置に配線用ポールＰが立設され、該配線用ポールＰの所定高さ位置に、２本のポールバンド２３により、ボックスＢが仮設される。このボックスＢには、電力計７等の計器類が収容されている。図５に示されるように、開状態の蓋体９が閉じられるとき、覆いフランジ部１５の段付面部１５ｂに突設された係合突起体１９の爪部１９ａが、ボックス本体８の開口外側縁部に設けられた第１防雨フランジ部１２に当接する。しかし、前記係合突起体１９は可撓性を有していると共に、前記第１防雨フランジ部１２において前記係合突起体１９と対向する部分には切欠部１８が設けられている。このため、図６に示されるように、前記係合突起体１９の爪部１９ａは、前記切欠部１８を乗り越えて排水溝部１４の部分に嵌まり込む。そして、蓋体９の引板部２２が、ボックス本体８の当板部１６に当接する。なお、この状態で、覆いフランジ部１５の内周面部１５ａは、前記第１及び第２の各防雨フランジ部１２，１３の外周縁部に対向配置されると共に、その段付面部１５ｂは、ボックス本体８の第１防雨フランジ部１２の開口面部１２ａに近接する状態（ほぼ当接する状態）で配置される。また、ボックス本体８の当板部１６の挿通孔１６ａと、蓋体９の引板部２２の挿通孔２２ａとが合致する。
【００２３】
図６に示されるように、蓋体９が閉じられた状態で、該蓋体９に設けられた係合突起体１９は、蓋体９によって隠される。また、蓋体９が開いた状態であっても、前記係合突起体１９は、覆いフランジ部１５の開口面部１５ｃよりも内方に存している。このため、蓋体９の開閉状態に関係なく、該蓋体９に設けられた係合突起体１９が、何らかの外力（例えば、作業中における作業工具との衝突力）によって損傷することが防止される。しかも、係合突起体１９の爪部１９ａは、ボックス本体８の排水溝部１４の部分に配置され、該排水溝部１４を形成している外側の第２防雨フランジ部１３と干渉することはない。これは、第２防雨フランジ部１３の防雨機能を損なうことなく、係合突起体１９を設けることができるということと、従来のボックスＢ’のボックス本体５２であっても、切欠部１８を設けることができるということを意味している。
【００２４】
前記ボックス本体８の当板部１６の挿通孔１６ａと、蓋体９の引板部２２の挿通孔２２ａに、紐体、錠等（いずれも図示せず）が取付けられる場合がある。こうすることによって、ボックス本体８に対する蓋体９の閉塞状態は、より確実な状態で維持される。
【００２５】
上記した実施形態のボックスＢを構成する蓋体９の開口周縁部には、覆いフランジ部１５が設けられている。このため、前記蓋体９における開口部分の強度が高くなっている。しかし、図７に示される別の実施形態のボックスＢ１　を構成する蓋体９’のように、覆いフランジ部１５が設けられていない形態のものであっても構わない。この場合、蓋体９’の構成が簡単なものになるという利点がある。
【００２６】
更に、ボックスＢと配線用ポールＰとを連結する手段は、前述したポールバンド２３に限られない。例えば、図８に示される実施形態のボックスＢ２　を構成するボックス本体８’の背面部には、結束バンド等のバンド体２９を通すためのバンド挿通部３１が、高さ方向に所定の間隔をおいて２箇所に設けられている。即ち、前記バンド挿通部３１は、ボックス本体８’の背面部の他の部分よりも厚肉となっていて、当該厚肉部分に、平面視において略円弧状にしてバンド通し孔３２が設けられている。しかも、前記バンド挿通部３１において、配線用ポールＰに当接される部分は、該配線用ポールＰの曲率半径に対応して、略三角形状に切除されている。こうすることによって、ボックス本体８’を確実に配線用ポールＰに押し付けることができると共に、ボックスＢ２　が配線用ポールＰに傾いて取付けられることを防止できる。
【００２７】
この実施形態のボックスＢ２　が、配線用ポールＰに取付けられるときには、バンド体２９が、バンド通し孔３２に挿通される。そして、配線用ポールＰの背面部において、バンド体２９の一端部が、その他端部に設けられたロック部３３に挿通され、その余長部が引っ張られることによって強固に装着される。前記バンド通し孔３２は、ボックス本体８’を成形する際に、一対の成形型（図示せず）を両側にスライドさせることにより、容易に成形することができる。そして、この実施形態のボックスＢ２　では、ボックス本体８’に、ポールバンド２３に取付けるためのねじの下孔等の孔を形成しなくて済むため、より確実に防雨が図られる。
【００２８】
本実施形態のボックスＢには、ボックス本体８の開口外側縁部に二条の防雨フランジ部１２，１３が設けられている形態であって、これによる利点は、既述のように、防雨機能が確実となると共に、蓋体９に設けられた係合突起体１９の保護が確実となる。しかし、奥側に設けられる第２防雨フランジ部１３が設けられていないボックスＢ、即ち、ボックス本体８の開口と同一面となっている防雨フランジ部（上記実施形態の第１防雨フランジ部１２）のみを有するボックスであっても構わない。この場合であっても、蓋体９に設けられた係合突起体１９が損傷されるおそれはない。また、本実施形態のボックスＢでは、ボックス本体８に被係合部（切欠部１８）が設けられていて、蓋体９に係合部（係合突起体１９）が設けられた形態であるが、逆の形態、即ち、ボックス本体８に係合部が設けられていて、蓋体９に被係合部が設けられていても構わない。そして、ボックスＢは、配線用ポールＰ以外の被固定物に取付けられるものであっても構わない。更に、このボックスＢは、常設、仮設のいずれの形態のものであっても構わない。
【００２９】
【発明の効果】
本発明に係る計器類の収容ボックスは、被固定物に固定されるボックス本体と、前記ボックス本体の開口を閉塞すべく該ボックス本体にヒンジ連結される蓋体とから成る計器類の収容ボックスであり、しかも両者には、互いに係合して蓋体の閉塞を維持するための係合部と被係合部とが設けられていて、前記蓋体に設けられた係合部は、前記蓋体の内側に設けられていることを特徴としている。このため、前記係合部が損傷するおそれがなく、該収容ボックスに収容された計器類を、確実に保護できる。
【図面の簡単な説明】
【図１】本発明に係るボックスＢが、配線用ポールＰに取付けられた状態の斜視図である。
【図２】蓋体９が開いた状態のボックスＢの斜視図である。
【図３】同じく正面図である。
【図４】同じく側面図である。
【図５】同じく平面断面図である。
【図６】蓋体９が閉じた状態のボックスＢの平面断面図である。
【図７】別の実施形態のボックスＢ１　の平面断面図である。
【図８】別の実施形態のボックスＢ２　の平面断面図である。
【図９】従来のボックスＢ’の平面断面図である。
【図１０】同じく側面図である。
【符号の説明】
Ｂ１，Ｂ２，Ｂ：ボックス
７：電力計（計器類）
８’，８：ボックス本体
９’，９：蓋体
１１：ヒンジ連結体
１２：第１防雨フランジ部
１３：第２防雨フランジ部
１４：排水溝部
１５：覆いフランジ部
１８：切欠部（被係合部）
１９：係合突起体（係合部）
１９ａ：爪部
【図１】
2004069632.tif 000003
【図２】
2004069632.tif 000004
【図３】
2004069632.tif 000005
【図４】
2004069632.tif 000006
【図５】
2004069632.tif 000007
【図６】
2004069632.tif 000008
【図７】
2004069632.tif 000009
【図８】
2004069632.tif 000010
【図９】
2004069632.tif 000011
【図１０】
2004069632.tif 000012